(57)【要約】【課題】球抜き時に遊技球を案内するための案内手段の動作範囲を小さくすることにより、装置全体の小型化を図ることができるパチンコ遊技機の賞球払出装置を提供する。【解決手段】賞球として所定数の遊技球を払い出し可能な払出ロータ１５と、払出ロータ１５に遊技球を供給する供給側通路１６と、払い出された遊技球を受け皿側まで導く払出側通路１７と、球抜きを行わせる球抜き用通路１８と、供給側通路１６の遊技球を球抜き用通路１８に案内する案内手段１９とを具備したパチンコ遊技機の賞球払出装置であって、案内手段１９は、球抜き用通路１８上を跨ぐ第１位置と当該球抜き用通路１８上から退避した第２位置との間で摺動可能なリブ１９ａを有し、当該リブが第２位置にあるとき球抜き用通路１８に遊技球が案内されるものである。【選択図】図２
2010110409.tif 000002
【特許請求の範囲】
【請求項１】
遊技球が入賞した入賞口に応じて所定の回転数だけ回転駆動し、賞球として所定数の遊技球を払い出し可能な払出ロータと、
該払出ロータに遊技球を供給する供給側通路と、
前記払出ロータで払い出された遊技球を受け皿側まで導く払出側通路と、
前記供給側通路の遊技球を前記受け皿以外の外部に導いて球抜きを行わせる球抜き用通路と、
前記供給側通路の遊技球を球抜き用通路に案内する案内手段と、
を具備したパチンコ遊技機の賞球払出装置であって、
前記案内手段は、遊技球の通過方向に沿って延設されつつ前記球抜き用通路上を跨ぐ第１位置と当該球抜き用通路上から退避した第２位置との間で摺動可能なリブを有し、当該リブが前記第１位置にあるとき当該リブ上を遊技球が通過して前記球抜き用通路に遊技球が至るのを規制するとともに、前記第２位置にあるとき前記球抜き用通路に遊技球が案内されることを特徴とするパチンコ遊技機の賞球払出装置。
【請求項２】
前記球抜き用通路は、前記供給側通路における前記払出ロータの配設位置より手前側に設けられたことを特徴とする請求項１記載のパチンコ遊技機の賞球払出装置。
【請求項３】
前記案内手段における前記リブ上の遊技球の通過面は、前記供給側通路における当該リブと対峙した遊技球の通過面と同一の高さ又はそれよりも高い位置とされたことを特徴とする請求項２記載のパチンコ遊技機の賞球払出装置。
【発明の詳細な説明】
【技術分野】
【０００１】
本発明は、遊技球が入賞した入賞口に応じて所定の回転数だけ回転駆動し、賞球として所定数の遊技球を払い出し可能な払出ロータを具備したパチンコ遊技機の賞球払出装置に関するものである。
【背景技術】
【０００２】
一般のパチンコ遊技機においては、遊技盤に発射された遊技球が所定の入賞口に入賞すると、その入賞口に応じた数の遊技球が賞球として受け皿に払い出されるよう構成されている。このような賞球の払い出しを行う従来の賞球払出装置として、例えば特許文献１に開示されているように、遊技球が入賞した入賞口に応じて所定の回転数だけ回転駆動し、賞球として所定数の遊技球を払い出し可能な払出ロータと、該払出ロータに遊技球を供給する供給側通路と、払出ロータで払い出された遊技球を受け皿側まで導く払出側通路と、遊技球を受け皿以外の外部に導いて球抜きを行わせる球抜き用通路と、遊技球を球抜き用通路に案内する切換弁（案内手段）とを具備したものが提案されている。
【特許文献１】特開２０００−２１０４４８号公報
【発明の開示】
【発明が解決しようとする課題】
【０００３】
しかしながら、上記従来のパチンコ遊技機の賞球払出装置においては、所定軸を中心に揺動可能な切換弁により遊技球を球抜き用通路に案内していたので、球抜き時には、当該切換弁を遊技球の直径より大きな寸法だけ揺動させる必要があり、賞球払出装置全体が大型化してしまう虞があった。即ち、従来の賞球払出装置における案内手段としての切換弁は、遊技球の直径より大きく揺動させて当該遊技球を球抜き用通路側に案内する構成とされていたので、少なくとも当該切換弁の動作範囲として遊技球の直径寸法だけ必要とされ、その分、装置の大型化を招来してしまうのである。
【０００４】
本発明は、このような事情に鑑みてなされたもので、球抜き時に遊技球を案内するための案内手段の動作範囲を小さくすることにより、装置全体の小型化を図ることができるパチンコ遊技機の賞球払出装置を提供することにある。
【課題を解決するための手段】
【０００５】
請求項１記載の発明は、遊技球が入賞した入賞口に応じて所定の回転数だけ回転駆動し、賞球として所定数の遊技球を払い出し可能な払出ロータと、該払出ロータに遊技球を供給する供給側通路と、前記払出ロータで払い出された遊技球を受け皿側まで導く払出側通路と、前記供給側通路の遊技球を前記受け皿以外の外部に導いて球抜きを行わせる球抜き用通路と、前記供給側通路の遊技球を球抜き用通路に案内する案内手段とを具備したパチンコ遊技機の賞球払出装置であって、前記案内手段は、遊技球の通過方向に沿って延設されつつ前記球抜き用通路上を跨ぐ第１位置と当該球抜き用通路上から退避した第２位置との間で摺動可能なリブを有し、当該リブが前記第１位置にあるとき当該リブ上を遊技球が通過して前記球抜き用通路に遊技球が至るのを規制するとともに、前記第２位置にあるとき前記球抜き用通路に遊技球が案内されることを特徴とする。
【０００６】
請求項２記載の発明は、請求項１記載のパチンコ遊技機の賞球払出装置において、前記球抜き用通路は、前記供給側通路における前記払出ロータの配設位置より手前側に設けられたことを特徴とする。
【０００７】
請求項３記載の発明は、請求項２記載のパチンコ遊技機の賞球払出装置において、前記案内手段における前記リブ上の遊技球の通過面は、前記供給側通路における当該リブと対峙した遊技球の通過面と同一の高さ又はそれよりも高い位置とされたことを特徴とする。
【発明の効果】
【０００８】
請求項１の発明によれば、案内手段は、遊技球の通過方向に沿って延設されつつ球抜き用通路上を跨ぐ第１位置と当該球抜き用通路上から退避した第２位置との間で摺動可能なリブを有し、当該リブが第１位置にあるとき当該リブ上を遊技球が通過して球抜き用通路に遊技球が至るのを規制するとともに、第２位置にあるとき球抜き用通路に遊技球が案内されるので、案内手段の摺動動作範囲（第１位置と第２位置との間の寸法）を少なくとも遊技球の直径寸法より小さくすることができる。従って、球抜き時に遊技球を案内するための案内手段の動作範囲を小さくすることにより、装置全体の小型化を図ることができる。
【０００９】
請求項２の発明によれば、球抜き用通路は、前記供給側通路における前記払出ロータの配設位置より手前側に設けられたので、球抜きされる遊技球が払出ロータに至るのが回避され、停止している払出ロータと球抜きしようとする遊技球とが干渉してしまったり、或いは当該払出ロータと供給側通路との間に遊技球が嵌合してしまうのを防止することができ、スムーズ且つ確実な球抜き作業を行わせることができる。
【００１０】
請求項３の発明によれば、案内手段におけるリブ上の遊技球の通過面は、供給側通路における当該リブと対峙した遊技球の通過面と同一の高さ又はそれよりも高い位置とされたので、組み付け誤差や通過面の磨耗等により、案内手段におけるリブ上の通過面の方が供給側通路における当該リブと対峙した通過面より低くなってしまって、通過する遊技球がその段差と干渉してしまうという不具合を回避することができる。
【発明を実施するための最良の形態】
【００１１】
以下、本発明の実施形態について図面を参照しながら具体的に説明する。
本実施形態に係るパチンコ遊技機の賞球払出装置は、遊技球が入賞した入賞口に応じて所定の回転数だけ回転駆動し、賞球として所定数の遊技球を払い出し可能な払出ロータを具備したパチンコ遊技機に適用されたものである。この適用されるパチンコ遊技機１は、その背面が図１に示すように、動作に必要な電気基板として、フィルタ基板２、電源基板３、払出制御基板４、主基板５、音声制御基板７、ランプ制御基板８、図柄制御基板９等を備えている。フィルタ基板２は、パチンコ遊技場の電源設備から供給された２４ボルト交流電源をパチンコ遊技機１に最初に取り入れる基板であり、ノイズ除去やサージ電圧の抑制を行っている。
【００１２】
電源基板３は、フィルタ基板２から供給される２４ボルト交流電源を、各基板のための直流の電源に変換するための基板である。基板ユニット６は、音声制御基板７とランプ制御基板８とを収納するケースであり、音声制御基板７とランプ制御基板８とは、基板連結用のコネクタで接続されている。音声制御基板７は、パチンコ遊技機１の遊技内容に応じた効果音を発生制御する基板である。ランプ制御基板８は、遊技板上に設けられたランプの点灯及び消灯をパチンコ遊技機１の遊技内容に応じて制御する基板である。図柄制御基板９は、遊技板上に設けられた液晶等の図柄表示器の図柄をパチンコ遊技機１の遊技内容に応じて制御する基板である。また、主基板５は、払出制御基板４、音声制御基板７、ランプ制御基板８、図柄制御基板９等を制御することにより、パチンコ遊技機１全体の動作を司る基板である。
【００１３】
払出制御基板４は、主基板５からの制御により、賞球としての遊技球を払い出す賞球払出装置１０を動作させて、遊技球の払い出しを行う。主基板５、払出制御基板４、音声制御基板７、ランプ制御基板８及び図柄制御基板９は、それぞれに中央演算装置であるＣＰＵと、ＣＰＵが動作するためのプログラムが記憶されているメモリであるＲＯＭと、ＣＰＵが演算途中等でデータの書き込み等を行う揮発性メモリであるＲＡＭとを備えている。そして、各基板は、電源基板３から電源が供給されることにより、それぞれのプログラムにより動作することになる。但し、実際の動作は、主基板５により制御されている。
【００１４】
パチンコ遊技機１の背面上部には、それより上方に配設された賞球供給ライン（不図示）から供給されてくる遊技球を溜める賞球タンク１１を具備しており、この賞球タンク１１は、さらに前後方向に二列のタンクレール１２と連通している。このタンクレール１２の下流側には、略Ｓ字状の誘導レール１３を介して賞球払出装置１０（カウンターケース）が設けられている。
【００１５】
ここで、本実施形態に係る賞球払出装置１０は、図２〜５に示すように、一対のケース１４ａ、１４ｂ及び蓋部２０と、払出ロータ１５と、該払出ロータ１５を回転駆動させるモータＭと、払出ロータ１５に遊技球Ｋを供給すべく紙面垂直方向に二列形成された一対の供給側通路１６と、該供給側通路１６に続いて形成された２列の払出側通路１７及び球抜き用通路１８と、球抜き用通路１８上に摺動自在に形成された案内手段１９とから主に構成されている。
【００１６】
同賞球払出装置１０においては、ケース１４ａ、１４ｂを筐体とするとともに、当該ケース１４ａ、１４ｂ内に樹脂成形品２２と、該樹脂成形品２２内に配設される払出ロータ１５と、モータＭと、案内手段１９とが配設されるようになっている。また、樹脂成形品２２は、ケース１４ａ、１４ｂと合致した状態で、供給側通路１６、払出側通路１７及び球抜き用通路１８が構成される形状とされている。
【００１７】
払出ロータ１５は、遊技球が入賞した入賞口（遊技盤上に形成された入賞口）に応じて所定の回転数だけ回転駆動し、賞球として所定数の遊技球Ｋを払い出し可能なものであり、２列一対の供給側通路１６のそれぞれに対応した羽根部位１５ａ、１５ｂを有して成る。即ち、払出ロータ１５がモータＭの駆動により払出ロータ１５が回転すると、互いに所定角度だけ位相がずれた羽根部位１５ａ、１５ｂが同時に回転することとなり、供給側通路１６側から供給される遊技球Ｋを順次、払出側通路１７側に排出可能となっているのである。
【００１８】
而して、供給側通路１６と払出側通路１７とは連通して形成されており、その間に払出ロータ１５が介在することにより、当該払出ロータ１５が停止した状態（球抜き用通路１８による球抜きがなされない状態）では、羽根部位１５ａ、１５ｂに遊技球Ｋが当接し、供給側通路１６の遊技球が払出側通路１７に至るのを規制しているとともに、当該払出ロータ１５が回転駆動すると（球抜き用通路１８による球抜きがなされない状態）、その送り出し作用により供給側通路１６の遊技球Ｋが払出側通路１７に順次、排出されるのである。尚、図中符号２３は、払出側通路１７に形成されたコ字状の案内部材を示している。
【００１９】
払出側通路１７は、払出ロータ１５で払い出された遊技球Ｋをパチンコ遊技機１の受け皿（不図示）側まで導くための通路であり、下方に向かって設けられている。一方、球抜き用通路１８は、メンテナンス時等において、供給側通路１６の遊技球を受け皿以外の外部に導いて球抜きを行わせるための通路であり、供給側通路１６における払出ロータ１５の配設位置より手前側（図２において右側）から下方に向かって設けられている。
【００２０】
案内手段１９は、供給側通路１６の遊技球Ｋを球抜き用通路１８に案内するためのもので、図６、７に示すように、遊技球Ｋの通過方向（同図左右方向）に沿って延設されつつ球抜き用通路１８上を跨ぐ第１位置（図７参照）と当該球抜き用通路１８上から退避した第２位置（図６参照）との間で摺動可能なリブ１９ａを有して成る。即ち、案内手段１９は、図中矢印方向に摺動自在とされており、図６で示す状態（第２位置）では、一対のリブ１９ａの間で球抜き用通路１８の開口を上方に臨ませる一方、図７で示す状態（第１位置）では、一対のリブ１９ａを当該球抜き用通路１８の上方で跨がせた状態とし得るのである。
【００２１】
より具体的には、図５に示すように、案内手段１９に形成された貫通孔１９ｂにケース１４ｂ側から突出した凸部２１を挿通させて構成することにより、当該凸部２１の延設方向に沿って案内手段１９を摺動可能とされているのである。従って、案内手段１９を摺動させ、そのリブ１９ａが第１位置にあるとき当該リブ１９ａ上を遊技球Ｋが通過して球抜き用通路１８に遊技球Ｋが至るのを規制するとともに、第２位置にあるとき球抜き用通路１８に遊技球Ｋが案内される（球抜き用通路１８に遊技球Ｋを落下させる）よう構成されている。尚、本実施形態における案内手段１９は、その凸部１９ｃに汎用の駆動手段等の操作部（不図示）が固定され、当該駆動手段の駆動により案内手段１９が摺動可能となっている。
【００２２】
また、本実施形態においては、図２及び図６、７に示すように、案内手段１９におけるリブ１９ａ上の遊技球Ｋの通過面ａは、供給側通路１６における当該リブ１９ａと対峙した遊技球Ｋの通過面ｂと同一の高さ又はそれよりも高い位置とされている。これにより、組み付け誤差や通過面の磨耗等により、案内手段１９におけるリブ１９ａ上の通過面ａの方が供給側通路１６における当該リブ１９ａと対峙した通過面ｂより低くなってしまって、通過する遊技球Ｋがその段差（通過面ｂの方が通過面ａより高くなった状態で生じる段差）と干渉してしまうという不具合を回避することができる。
【００２３】
上記実施形態によれば、案内手段１９は、遊技球Ｋの通過方向に沿って延設されつつ球抜き用通路１８上を跨ぐ第１位置と当該球抜き用通路１８上から退避した第２位置との間で摺動可能なリブ１９ａを有し、当該リブ１９ａが第１位置にあるとき当該リブ１９ａ上を遊技球Ｋが通過して球抜き用通路１８に遊技球Ｋが至るのを規制するとともに、第２位置にあるとき球抜き用通路１８に遊技球Ｋが案内（落下）されるので、案内手段１９の摺動動作範囲（第１位置と第２位置との間の寸法）を少なくとも遊技球Ｋの直径寸法より小さくすることができる。
【００２４】
即ち、図７で示す状態から図６で示す状態まで案内手段１９を摺動させる際、その移動寸法は、遊技球Ｋの半径程度で済むため、従来の如く遊技球Ｋの直径より大きく動作させて球抜き用通路１８に案内するものに比べ、案内手段１９の動作を小さくすることができるのである。従って、球抜き時に遊技球Ｋを案内するための案内手段１９の動作範囲を小さくすることにより、パチンコ遊技機の賞球払出装置全体の小型化を図ることができる。
【００２５】
更に、本実施形態によれば、球抜き用通路１８は、供給側通路１６における払出ロータ１５の配設位置より手前側に設けられたので、球抜きされる遊技球Ｋが払出ロータ１５に至るのが回避され、停止している払出ロータ１５と球抜きしようとする遊技球Ｋとが干渉してしまったり、或いは当該払出ロータ１５と供給側通路１６との間に遊技球Ｋが嵌合してしまうのを防止することができ、スムーズ且つ確実な球抜き作業を行わせることができる。
【００２６】
以上、本実施形態について説明したが、本発明はこれに限定されるものではなく、例えば供給側通路１６、払出側通路１７及び球抜き用通路１８が一列状に形成され、供給側通路１６から一列で供給される遊技球を、順次、払出ロータ１５により排出可能とされたものであってもよい。また、各通路の形状、ケース１４ａ、１４ｂ等の全体形状等は、他の形状であってもよい。
【産業上の利用可能性】
【００２７】
案内手段は、遊技球の通過方向に沿って延設されつつ球抜き用通路上を跨ぐ第１位置と当該球抜き用通路上から退避した第２位置との間で摺動可能なリブを有した案内手段を具備し、当該リブが第１位置にあるとき当該リブ上を遊技球が通過して球抜き用通路に遊技球が至るのを規制するとともに、第２位置にあるとき球抜き用通路に遊技球が案内されるよう構成されたパチンコ遊技機の賞球払出装置であれば、外観形状が異なるもの或いは他の機能が付加されたものにも適用することができる。
【図面の簡単な説明】
【００２８】
【図１】本発明の実施形態に適用されるパチンコ遊技機の背面側全体を示す背面図
【図２】同パチンコ遊技機の賞球払出装置を示す全体模式図
【図３】同パチンコ遊技機の賞球払出装置における案内手段（リブが第２位置）を示す側面模式図
【図４】同パチンコ遊技機の賞球払出装置における案内手段（リブが第１位置）を示す側面模式図
【図５】同パチンコ遊技機の賞球払出装置の主な構成要素を示す分解斜視図
【図６】同パチンコ遊技機の賞球払出装置における案内手段（リブが第２位置）を示す上面模式図
【図７】同パチンコ遊技機の賞球払出装置における案内手段（リブが第１位置）を示す上面模式図
【符号の説明】
【００２９】
１    パチンコ遊技機
２    フィルタ基板
３    電源基板
４    払出制御基板
５    主基板
６    基板ユニット
７    音声制御基板
８    ランプ制御基板
９    図柄制御基板
１０  賞球払出装置
１１  賞球タンク
１２  タンクレール
１３  誘導レール
１４ａ、１４ｂ  ケース
１５  排出ローラ
１６  供給側通路
１７  払出側通路
１８  球抜き用通路
１９  案内手段
１９ａ  リブ
２０  蓋部
２１  凸部
２２  樹脂成形品
２３  案内部材
Ｍ    モータ
Ｋ    遊技球
【図１】
2010110409.tif 000003
【図２】
2010110409.tif 000004
【図３】
2010110409.tif 000005
【図４】
2010110409.tif 000006
【図５】
2010110409.tif 000007
【図６】
2010110409.tif 000008
【図７】
2010110409.tif 000009